(57)【要約】【課題】保護部材として要求される剛性（機能）を備えた上で、使用済みになって投棄されたときは自然環境下で容易に分解して自然に戻される分解性保護部材を提供する。【解決手段】分水栓Ｂの分岐管接続部１に装着されて、分岐管接続部１を保護する保護部材本体Ａを、紙材によってほぼ筒状に形成している。そして、保護部材本体Ａは、分岐管接続部１に嵌め被された後に、嵌め込み口９側の口縁部を内側に折り曲げられることにより分岐管接続部１から脱落不能に装着されるように形成されている。【選択図】図５
0003122946.tif 000002
【実用新案登録請求の範囲】
【請求項１】
接続部材の接続部に装着されて、該接続部の外表面を保護するように形成されている保護部材であって、
保護部材本体は、適度の剛性を有する紙材によって前記接続部を、その外表面から包囲することができるほぼ筒形状に形成されていることを特徴とする分解性保護部材。
【請求項２】
前記保護部材本体は、前記接続部に嵌め被された後に、その嵌め込み口側の口縁部が内側に折り曲げられることにより、前記接続部に脱落不能に装着されるように形成されていることを特徴とする請求項１に記載の分解性保護部材。
【請求項３】
前記保護部材本体は、前記嵌め込み口から筒方向に口拡開用のスリットを備えていることを特徴とする請求項１または請求項２に記載の分解性保護部材。
【請求項４】
前記保護部材本体は、紙製の蓋体を備えた有底筒状に形成されていることを特徴とする請求項１〜請求項３のいずれか１項に記載の分解性保護部材。
【請求項５】
前記保護部材本体は、紙製のリング部材を介して付属品を固定的に、かつ、取り出し可能に収容し得るように形成されていることを特徴とする請求項１〜請求項４のいずれか１項に記載の分解性保護部材。
【請求項６】
前記接続部材は、分水栓であり、
前記保護部材本体は、前記分水栓の分岐管接続部の外表面を保護するように形成さていることを特徴とする請求項１〜請求項５のいずれか１項に記載の分解性保護部材。
【考案の詳細な説明】
【技術分野】
【０００１】
本考案は、分解性保護部材に係り、例えば、水道用の給水本管から一般家庭などに水道管を分岐させて引き込む際に、給水本管の分岐口に取り付けられる分水栓の分岐管接続部に装着されることによって、分岐管接続部が衝突や接触などにより破損などをしないように保護する分解性保護部材に関する。
【背景技術】
【０００２】
水道用の給水本管から一般家庭などに水道管を引き込むための配管工事を行う場合には、給水本管が埋設されている場所から水道管の引き込み方向に向けて配管用の溝を掘り、穿孔機などを用いて給水本管に分岐口を設け、この分岐口に分水栓を取り付ける。そして、分水栓に設けられている分岐管接続部に、引き込み用の水道管の管端部を接続するようにしている。
一般に、分水栓の分岐管接続部への水道管の接続は、分岐管接続部の外周面に形成されているネジ部に、袋ナットなどからなるナット部材を用いて行われている。
このように、水道用の給水本管から一般家庭などに水道管を分岐させて引き込むために、給水本管に取り付けられる分水栓としては、例えば、特許文献１などにおいて知られている。
【０００３】
ところで、分水栓は、所望の材料を用いた型成形などによって形成されている。そして、分水栓は、工場などにおいて生産された後の保管のときや、工事業者や工事現場へ搬送されるときなどに、側方に向けて開口するように突出させた分岐管接続部に保護部材が装着されて保護されるようになっている。つまり、分岐管接続部の外周面に形成されているネジ部などが衝突や接触などによって損傷するおそれがあるために、保護部材によって分岐管接続部が保護されるようにしている。
【特許文献１】特開２００４−２８３３７号公報（段落番号０００８、図１及び図２参照）
【考案の開示】
【考案が解決しようとする課題】
【０００４】
ところが、分水栓の分岐管接続部を保護するために装着されている従来の保護部材は、合成樹脂によって形成されているが一般的である。そのために、廃棄物として投棄された場合、残骸として半永久的に土中に残り、環境保全の必要性と意識が高まってきた昨今、自然環境上において問題があった。
つまり、水道用の給水本管から一般家庭などに水道管を引き込むための配管を行う工事現場において、分水栓の分岐管接続部から取り外されて使用済みになった保護部材を投棄することなく、工事業者が持ち帰ることが望ましい。しかしながら、実際には、水道管の引き込み配管が終了後において、配管用に掘られた溝を埋め戻すときに、使用済みになった保護部材は溝に投棄されているのが現状である。
【０００５】
そこで、本考案は、前記課題を解消するために創案されたものであり、保護部材として要求される剛性（機能）を備えた上で、使用済みになって投棄されたときは自然環境下で容易に分解して自然に戻される分解性保護部材を提供することにある。
【課題を解決するための手段】
【０００６】
上記課題を解決するために本考案は、請求項１では、接続部材の接続部に装着されて、該接続部を保護するように形成されているほぼ筒状の保護部材であって、保護部材本体は、適度の剛性を有する紙材によって形成されていることを特徴とする。
ここで、前記接続部材は、分水栓であり、前記保護部材本体を、前記分水栓の分岐管接続部の外表面を保護し得るように形成することが好適なものとなる（請求項６）。
また、適度の剛性とは、前記接続部の外表面に嵌め被せることができる程度の内径を有するほぼ筒状の形態を保つことができる保形性を備え、しかも、衝突や接触などによって前記接続部の外表面が損傷しないように保護することができる厚さを備えていることである。
【０００７】
請求項１によれば、保護部材本体は、接続部材の接続部を保護する。つまり、接続部材として挙げられる例えば、分水栓の分岐管接続部を衝突や接触などから保護することができる。そして、使用済みになって投棄された場合には、紙製であることから、自然環境下で土中や水中の微生物の働きにより容易に分解されて自然に戻される。
【０００８】
請求項２では、前記保護部材本体は、前記接続部に嵌め被された後に、嵌め込み口側の口縁部が内側などに折り曲げられることにより、前記接続口に脱落不能に装着されるように形成されていることを特徴とする。
【０００９】
請求項２によれば、請求項１に記載の作用に加えて、保護部材本体を、分水栓の分岐管接続部に装着するときに、分岐管接続部の外表面を被嵌するように保護部材本体を嵌め被せた後に、嵌め込み口側の口縁部を内側に折り曲げることによって、分岐管接続部に保護部材本体を脱落不能に装着することができる。つまり、内側に折り曲げられた内曲げ部を、分岐管接続部の根元部分などに係止させることによって、保護部材本体を分岐管接続部に脱落不能に装着することができる。
【００１０】
また、請求項３では、前記保護部材本体は、前記嵌め込み口から筒方向に口拡開用のスリットを備えていることを特徴とする。
【００１１】
請求項３によれば、請求項１または請求項２に記載の作用に加えて、保護部材本体を、分水栓の分岐管接続部に装着するときに、スリットによって、保護部材本体の嵌め込み口側を外側に拡げた状態で、保護部材本体を分岐管接続部に速やかに嵌め被せることができる。それにより、分岐管接続部に対する保護部材本体の装着性を向上させることができる。
【００１２】
請求項４では、前記保護部材本体は、紙製の蓋体を備えた有底筒状に形成されていることを特徴とする。
このように、保護部材本体を有底筒状とした場合には、紙製のリング部材を介して内部に付属品を固定的に、かつ、取り出し可能に収容し得るように、前記保護部材本体を形成することが好適なものとなる（請求項５）。
ここで、付属品としては特に限定されるものではないが、例えば、分水栓の分岐管接続部と、この分岐管接続部に接続される水道管との間にわたり介在されるシール部材や、その他の接続用の部品類などを挙げることができる。
【００１３】
請求項４によれば、保護部材本体を分水栓の分岐管接続部に装着することにより、分岐管接続部の外周面を含めた開口端面などの外表面全体を包み込み、分岐管接続部を衝突や接触などから損傷しないように保護することができる。そして、請求項５のように、シール部材などを付属品として保護部材本体内に収容しておくことができることで、シール部材などの付属品の現場などへの持ち込み忘れなどによる作業の中断を引き起こすことがなくなり、しかも、分水栓とは別途に持ち運ぶなどの手間がなくなる。
【考案の効果】
【００１４】
本考案に係る分解性保護部材は以上のように構成されていることで、保護部材として要求される剛性（機能）を備えた上で、使用済みとなって土中などに投棄されると、自然環境化下で土中などの微生物の働きにより生分解されて自然に戻される。よって、環境保全に対する必要性と意識が高まってきている近代社会において自然に優しい分解性保護部材を提供することができる。
【考案を実施するための最良の形態】
【００１５】
以下、本考案に係る分解性保護部材の最良の実施形態について、適宜図面を参照しながら説明する。
図１は、本実施形態に係る分解性保護部材が適用される分水栓を示す斜視図であり、図２は、本実施形態に係る分解性保護部材を、分水栓の分岐管接続部と上部開口部に装着した状態を示す斜視図である。
【００１６】
分水栓Ｂは、周知の構造を呈している。
つまり、図１に示すように、上下開口でほぼ円筒状を呈する栓本体部ｂの下部開口部（図示省略）にフランジ部１８を備えて、下部開口部が水道用の給水本管Ｃの分岐口（図示省略）に接続されるように、給水本管Ｃにボルト止めなどによって取り付けられるように形成されている。
そして、ねじ部７を備えている栓本体部ｂの上部開口部２は、給水本管Ｃに分岐口を開口するなどの作業用に利用され、作業が終了した後に、封止キャップ１９が取り付けられて封止されるようにしている。
【００１７】
また、栓本体部ｂには側方に向けて開口するように突出させた分岐管接続部１を備え、さらに、この分岐管接続部１の反対側において側方に向けて同軸線上に突出させたコック取付部４を備えており、このコック取付部４には、分岐管接続部１への流路を開閉するための開閉コック５が取り付けられるようにしている。
分岐管接続部１は、根元段部１ｂを介して栓本体部ｂから突出されて外周面にねじ部６を備えている。これにより、水道用の給水本管Ｃから一般家庭などに水道管Ｄを分岐させて引き込み配管する際に、水道管Ｄの管端部がナット部材８によって接続されるようにしている。
【００１８】
このような構造を呈している分水栓Ｂは、工場などにおいて生産された後の保管のときや、工事業者や工事現場へ搬送されるときなどには、図２に示すように、栓本体部ｂの分岐管接続部１や上部開口部２に保護部材本体Ａがそれぞれ装着されて、衝突や接触などによって損傷しないように保護されるようにしている。
【００１９】
図３は、本実施形態に係る分解性保護部材を示し、保護部材本体と蓋体とを分離して示す斜視図である。図４は、分岐管接続部を、分水栓の分岐管接続部に嵌め込み装着する状態を示す斜視図であり、図５は、保護部材本体を分水栓の分岐管接続部に装着した状態を断面して示す側面図である。
保護部材本体Ａは、紙材によって分水栓Ｂの分岐管接続部１や上部開口部２の外径（ネジ部６，７の螺旋外径）に合わせた内径と適宜の長さを有するほぼ円筒状に形成されている。これにより、分岐管接続部１や上部開口部２を被嵌するようにそれらに装着されるよう形成されている。
【００２０】
なお、保護部材本体Ａを作る紙材としては特に限定されるものではないが、例えば、適度の剛性と保形性などを有し、そして廃棄された場合などには、土中や水中の微生物の働きにより容易に生分解され易く、しかも、衝撃などを吸収する衝撃吸収性能を備えた素材を選択することが好適なものとなる。
【００２１】
また、保護部材本体Ａは、図３に示すように、嵌め込み口９の口縁部に折れ線１０が形成されており、分岐管接続部１に嵌め被せた後に、折れ線１０に沿って口縁部を内側に折り曲げることで、分岐管接続部１に脱落不能に装着されるようになっている。
つまり、図５に示すように、内側に折り曲げられることにより形成される内曲げ片部１１が、分岐管接続部１の根元段部１ｂなどに係止されることにより、保護部材本体Ａが分岐管接続部１に脱落不能に装着されるようにしている。
【００２２】
また、保護部材本体Ａは、嵌め込み口９側から筒方向に口拡開用のスリット１２を、周方向における相対する２ヵ所に備えている。
これにより、保護部材本体Ａを分岐管接続部１の外側に嵌め込むように取り付ける際に、図４に示すように、嵌め込み口９側を開いた状態で行うことができるようにしている。つまり、保護部材本体Ａの分岐管接続部１への装着性を向上させている。
さらに、保護部材本体Ａは、図３及び図５に示すように、紙製の蓋体ａによって閉鎖させる有底筒状に形成されている。
【００２３】
蓋体ａは、保護部材本体Ａと同じ紙製素材によって保護部材本体Ａの内径とほぼ同じ大きさに形成されている。
そして、この蓋体ａは、保護部材本体Ａを円筒状に形成した後に、嵌め込み口９とは反対側の他端開口部１３に接着剤などを用いて固定的に取り付けるようにするもよいが、本実施形態では、図３の（ａ）及び図５に示すように、保護部材本体Ａの開口部１３の内周面に沿わせてほぼリング形状に形成された抜止部１４を備えている。
これにより、蓋体ａを嵌め込み口９側から保護部材本体Ａ内に内設させることによって、蓋体ａによって他端開口部１３が閉鎖された有底筒状の保護部材本体Ａが構成されるようにしている。
このように、ほぼ円筒状に形成される保護部材本体Ａに、蓋体ａを後から備えるようにすることにより、例えば、分水栓Ｂの分解管接続部１の口径などの表示部２０を蓋体ａに印刷をするなどにおいて有効となる。
【００２４】
なお、図示を省略しているが、例えば、保護部材本体Ａをほぼ円筒状で、なおかつ、円周方向の相対する２ヶ所において筒方向の折れ線などを設けて、保護部材本体Ａを円筒状態から平面的に折り畳んでおくことができるように形成することによって、数多くの保護部材本体Ａを、蓋体ａと同様に積み重ねた状態で保管することができるなどの保管性の向上を期待することができる。
【００２５】
また、保護部材本体Ａは、図５に示すように、分水栓Bの分岐管接続部１に装着するに際して、紙製のリング部材１５を介して付属品としての例えば、シール部材１６を固定的に、かつ、取り出し可能に収容し得るように形成されている。
ちなみに、シール部材１６は、軸方向のほぼ一半分側が分岐管接続部１の口径とほぼ同じ外径に、他半部側が水道管Ｄの口径とほぼ同じ外径に形成された段付き筒状に形成されている。
【００２６】
リング部材１５は、保護部材本体Ａと同じ紙製素材によって保護部材本体Ａの内径とほぼ同じ大きさに形成され、中心部には保持孔１７が設けられていて、シール部材１６の一半部側が貫通されて保持されるように形成されている。
つまり、保護部材本体Ａが、図５に示すように、分岐管接続部１を被嵌し、なおかつ、分岐管接続部１の口縁との間でシール部材１６を筒方向に移動不能に収容し得る長さに形成されていることにより、嵌め込み口９の口縁部を内曲げ片部１１によって分岐管接続部１の根元段部１ｂに脱落不能に係止させることで、リング部材１５を介してシール部材１６を固定的に、かつ、取り出し可能に収容し得るようにしている。
【００２７】
以上のように構成された本実施形態に係る分解性保護部材によれば、使用済みになって投棄された場合には、保護部材本体は紙製であることから、自然環境下で土中や水中の微生物の働きにより容易に分解されて自然に戻される。
【００２８】
また、保護部材本体Ａを、分水栓Ｂの分岐管接続部１に装着するときに、図に示すように、スリット１２によって、保護部材本体Ａの嵌め込み口９側を外側に拡げた状態で、保護部材本体Ａを分岐管接続部１に速やかに嵌め被せることができる。それにより、分岐管接続部１に対する保護部材本体Ａの装着性を向上させることができる。
そして、ネジ部６が施されている分岐管接続部１の外周面を含めた開口端面などの外表面全体を被嵌するように保護部材本体Ａを嵌め被せた後に、嵌め込み口９側の口縁部を折れ線１０に沿って内側に折り曲げることによって形成される内曲げ片部１１を、図に示すように、分岐管接続部１の根元段部１ｂに係止させることで、分岐管接続部１に保護部材本体Ａを脱落不能に装着することができる。
【００２９】
また、図５に示すように、リング部材１５を介してシール部材１６などを保護部材本体Ａ内に収容しておくことができることで、シール部材１６などの現場への持ち込み忘れなどによる作業の中断を引き起こすことがなくなる。しかも、分水栓Ｂとは別途に持ち運ぶなどの手間がなくなることで、持ち運び・運搬性などにおいても利便性が高まるなどの取り扱い性の向上を期待することができる。
【００３０】
なお、本考案の実施形態の具体的な構成は、前記した実施形態に限られるものではなく、請求項１から請求項６に記載の本考案の要旨を逸脱しない範囲で設計変更などがあっても本発明に含まれるものである。
本実施形態に係る分解性保護部材を適用する好ましい形態の一例として分水栓への対応例として示したが、接続部材としては分水栓に限らず、例えば、水道管などの管材や、シャフトなどの棒材などを挙げることができる。そして、接続部材の接続部としては、管材や棒材などの端部を挙げることができ、また、その端部の外周面に形成されるねじ部などを挙げることができる。
【００３１】
また、保護部材本体を分岐管接続部に脱落不能に装着するための手段として、例えば、保護部材本体の内周面の要所に、分岐管接続部のネジ部に噛合させるための係止凸部などを、保護部材本体の筒部の一部を内側に切り起こすなどによって設けることができる。
また、保護部材本体は、円筒状に限らず、角型や多角筒状などでもよい。つまり、衝突や接触などから保護するように装着される接続部材に接続部の外形形状に対応させた筒形状に保護部材本体は形成されるものである。
【図面の簡単な説明】
【００３２】
【図１】本実施形態に係る分解性保護部材が適用される分水栓を示す斜視図である。
【図２】本実施形態に係る分解性保護部材を、分水栓の分岐管接続部と上部開口部とにそれぞれ装着した状態を示す斜視図である。
【図３】本実施形態に係る分解性保護部材の実施形態を示し、（ａ）は、保護部材本体と、蓋体とを分離して示す斜視図であり、（ｂ）は、蓋体を備えた保護部材本体と、この保護部材本体内に収容されるシール部材とを示す斜視図である。
【図４】保護部材本体を、分水栓の分岐管接続部に嵌め込み装着する状態を示す斜視図である。
【図５】保護部材本体を分水栓の分岐管接続部に装着した状態において、保護部材本体内にシール部材を収容させて一部を断面して示す側面図である。
【符号の説明】
【００３３】
Ａ      保護部材本体
ａ      蓋体
１      分岐管接続部（接続部）
２      上部開口部
６      ねじ部（接続部）
９      嵌め込み口
１０    折れ線
１１    内曲げ片部
１２    スリット
１５    リング部材
１６    シール部材（付属品）
Ｂ      分水栓（接続部材）
Ｃ      給水本管
Ｄ      水道管
【図１】
0003122946.tif 000003
【図２】
0003122946.tif 000004
【図３】
0003122946.tif 000005
【図４】
0003122946.tif 000006
【図５】
0003122946.tif 000007